(57)【要約】【課題】画像形成部に対して画像読取部を容易に取り付けおよび位置決めを行うことが可能な画像形成装置を提供する。【解決手段】この画像形成装置１００は、画像形成部１と画像読取部５とを含み、画像形成部１は、上面４ａ側にフック掛かり部４０を有し、画像読取部５は、下面６ａ側にフック部６１を有しており、フック掛かり部４０の開口幅は、前方（Ｙ２方向）に沿って、前方と直交する左右方向（Ｘ方向）で異なり、フック掛かり部４０の一部にフック部６１が係合するように構成されている。【選択図】図２
2016136182.tif 000002
【特許請求の範囲】
【請求項１】
画像形成部と画像読取部とを含む画像形成装置であって、
前記画像形成部は、上面側に凸部および凹部の一方を有し、
前記画像読取部は、下面側に前記凸部および前記凹部の他方を有しており、
前記凹部の開口幅は、第１方向に沿って、前記第１方向と直交する第２方向で異なり、前記凹部の一部に前記凸部が係合するように構成されている、画像形成装置。
【請求項２】
前記凹部は、前記第１方向に連通した第１開口部と第２開口部とを有し、
前記第２開口部は、前記第１開口部よりも大きい、請求項１に記載の画像形成装置。
【請求項３】
前記第２開口部の前記第２方向における前記開口幅は、前記凸部の幅よりも大きい、請求項２に記載の画像形成装置。
【請求項４】
前記凹部は、前記第１開口部の開口縁から内側に張り出す第１規制部を有し、
前記凸部は、前記第１方向および前記第２方向と直交する第３方向で前記第１規制部と係合する第２規制部を有する、請求項２または３に記載の画像形成装置。
【請求項５】
前記凹部は、前記第１規制部とは異なる位置に設けられた前記第１凹部をさらに有し、
前記凸部は、前記第２規制部とは異なる位置に設けられた前記第１凸部をさらに有し、
前記第１凹部の開口幅は、前記第１方向に沿って、前記第２方向で異なり、
前記第１凹部の一部に前記第１凸部が係合するように構成されている、請求項４に記載の画像形成装置。
【請求項６】
前記画像形成部は、前記画像形成部および前記画像読取部を電気的に接続するための配線を接続する配線接続部と、前記配線接続部と対向する位置に設けられた第２凸部および第２凹部の一方とを有し、
前記画像読取部は、前記配線接続部と対向する位置に設けられた前記第２凸部および前記第２凹部の他方を有し、
前記第２凸部が当接する前記第２凹部の一部である当接部において、前記当接部を支点として、前記第２凸部が回動されるように構成されている、請求項１〜５のいずれかに記載の画像形成装置。
【請求項７】
前記画像形成部は、前記第１方向と反対の第４方向の端部側に、第３凸部および第３凹部の一方を有しており、
前記画像読取部は、前記第４方向の端部側に、前記第３凸部および前記第３凹部の他方を有しており、
前記第３凹部に前記第３凸部が係合するように構成されている、請求項１〜６のいずれか１項に記載の画像形成装置。
【請求項８】
前記画像形成部は、前記第１方向と反対の第４方向の端部側に、第３凸部および第３凹部の一方を有しており、
前記画像読取部は、前記第４方向の端部側に、前記第３凸部および前記第３凹部の他方を有しており、
前記第３凹部に前記第３凸部が係合するように構成され、
前記第１規制部および前記第２規制部は、それぞれ、２つずつ設けられ、
前記第２方向における前記第１規制部間の長さは、第１方向における前記第１凸部および前記第１凹部と、前記第３凸部および前記第３凹部との間の長さよりも小さい、請求項５に記載の画像形成装置。
【発明の詳細な説明】
【技術分野】
【０００１】
この発明は、画像形成装置に関し、特に、画像形成部と画像読取部とを備える画像形成装置に関する。
【背景技術】
【０００２】
従来、画像形成部と画像読取部とを備える画像形成装置が知られている（たとえば、特許文献１参照）。
【０００３】
上記特許文献１には、画像形成部と、画像形成部の上面に固定される画像読取部とを備えた画像形成装置が開示されている。画像読取部の上面は、一定の幅の隙間を有する軸受部を含んでいる。画像読取部の下面は、軸受部に係合するとともに、一定の幅の隙間から軸受部内に挿入されることにより軸受部に対して位置決めされる軸部を含んでいる。
【先行技術文献】
【特許文献】
【０００４】
【特許文献１】特開２００９−１５７０８３号公報
【発明の概要】
【発明が解決しようとする課題】
【０００５】
しかしながら、上記特許文献１では、画像形成装置に対する画像読取部の取り付けおよび位置決めを、互いに嵌合される軸受部と軸部とにより（すなわち、１組の部材のみにより）行う必要があるため、一定の幅の隙間を有する軸受部および軸部に高い寸法精度が要求される。このため、軸受部と軸部との嵌合隙間が小さくなるので、軸受部に軸部を容易に取り付けることができない場合があるという問題点がある。
【０００６】
この発明は、上記のような課題を解決するためになされたものであり、この発明の１つの目的は、画像形成部に対して画像読取部を容易に取り付けおよび位置決めを行うことが可能な画像形成装置を提供することである。
【課題を解決するための手段】
【０００７】
この発明の一の局面による画像形成装置は、画像形成部と画像読取部とを含む画像形成装置であって、画像形成部は、上面側に凸部および凹部の一方を有し、画像読取部は、下面側に凸部および凹部の他方を有しており、凹部の開口幅は、第１方向に沿って、第１方向と直交する第２方向で異なり、凹部の一部に凸部が係合するように構成されている。
【０００８】
この発明の一の局面による画像形成装置では、上記のように、画像形成部の上面側に凸部および凹部の一方を設け、画像読取部の下面側に凸部および凹部の他方を設け、凹部の開口幅を、第１方向に沿って、第１方向と直交する第２方向で異ならせ、凹部の一部に凸部が係合するように構成することによって、画像読取部の凸部（または凹部）を、画像形成部の凹部（または凸部）に嵌合（係合）させて第１方向にスライド移動することによって、画像読取部の凸部（または凹部）を第２方向の幅が狭い位置に配置することができる。その結果、画像形成部と画像読取部とを係合させるとともに、互いに位置決めできるので、画像形成部に対して画像読取部を容易に取り付けおよび位置決めを行うことができる。
【０００９】
上記一の局面による画像形成装置において、好ましくは、凹部は、第１方向に連通した第１開口部と第２開口部とを有し、第２開口部は、第１開口部よりも大きい。このように構成すれば、第１開口部よりも大きい第２開口部において、画像読取部の凸部（または凹部）を画像形成部の凹部（または凸部）に嵌合（係合）させることができるので、画像形成部に対して画像読取部をより容易に取り付けおよび位置決めを行うことができる。
【００１０】
この場合、好ましくは、第２開口部の第２方向における開口幅は、凸部の幅よりも大きい。このように構成すれば、凸部に対して第２開口部の第２方向における開口幅が大きく形成されるので、第２開口部に凸部を容易に嵌合（係合）させることができる。
【００１１】
上記凹部が第１方向に連通した第１開口部と第２開口部とを有する構成において、好ましくは、凹部は、第１開口部の開口縁から内側に張り出す第１規制部を有し、凸部は、第１方向および第２方向と直交する第３方向で第１規制部と係合する第２規制部を有する。このように構成すれば、画像読取部を第１方向にスライド移動させることにより、第１規制部と第２規制部とが係合するので、画像形成部に対する画像読取部の第３方向への移動を規制することができる。
【００１２】
上記一の局面による画像形成装置において、好ましくは、凹部が第１規制部を有し、凸部が第２規制部を有する構成において、好ましくは、凹部は、第１規制部とは異なる位置に設けられた第１凹部をさらに有し、凸部は、第２規制部とは異なる位置に設けられた第１凸部をさらに有し、第１凹部の開口幅は、第１方向に沿って、第２方向で異なり、第１凹部の一部に第１凸部が係合するように構成されている。このように構成すれば、第１規制部とは別個の第１凹部が設けられ、第２規制部とは別個の第１凸部が設けられるので、画像形成部と画像読取部との位置決めおよび取り付けを１組の構成で行う場合と比較して、第１規制部と第２規制部とを係合させる際に、高い精度が不要となる。その結果、画像形成部に対して画像読取部をより一層容易に取り付けおよび位置決めを行うことができる。
【００１３】
上記一の局面による画像形成装置において、好ましくは、画像形成部は、画像形成部および画像読取部を電気的に接続するための配線を接続する配線接続部と、配線接続部と対向する位置に設けられた第２凸部および第２凹部の一方とを有し、画像読取部は、配線接続部と対向する位置に設けられた第２凸部および第２凹部の他方を有し、第２凸部が当接する第２凹部の一部である当接部において、当接部を支点として、第２凸部が回動されるように構成されている。このように構成すれば、当接部を支点として第２凸部を回動させることにより、画像形成部に対して画像読取部を容易に傾斜させることができる。その結果、画像形成部と画像読取部とを電気的に接続する配線処理を容易に行うことができる。
【００１４】
上記第１係合部および第２係合部の一方がフック部を含み、他方がフック掛り部を含む構成において、好ましくは、画像形成部は、第１方向と反対の第４方向の端部側に、第３凸部および第３凹部の一方を有しており、画像読取部は、第４方向の端部側に、第３凸部および第３凹部の他方を有しており、第３凹部に第３凸部が係合するように構成されている。このように構成すれば、第１方向側に加えて、第４方向側においても、第３凸部および第３凹部により、画像形成部と画像読取部との位置決めが行われるので、画像形成部に対して画像読取部をより精度よく位置決めをすることができる。
【００１５】
上記凹部が第１凹部をさらに有し、凸部が第１凸部をさらに有する構成において、好ましくは、画像形成部は、第１方向と反対の第４方向の端部側に、第３凸部および第３凹部の一方を有しており、画像読取部は、第４方向の端部側に、第３凸部および第３凹部の他方を有しており、第３凹部に第３凸部が係合するように構成され、第１規制部および第２規制部は、それぞれ、２つずつ設けられ、第２方向における第１規制部間の長さは、第１方向における第１凸部および第１凹部と、第３凸部および第３凹部との間の長さよりも小さい。このように構成すれば、第１凸部および第１凹部と、第３凸部および第３凹部との間の長さを、第１規制部間の長さよりも大きく確保することができる。
【発明の効果】
【００１６】
本発明によれば、上記のように、画像形成部に対して画像読取部を容易に取り付けおよび位置決めを行うことが可能な画像形成装置を提供することができる。
【図面の簡単な説明】
【００１７】
【図１】本発明の第１〜第３実施形態による画像形成装置の全体構成を示した斜視図である。
【図２】本発明の第１実施形態による画像形成装置のトップカバーの上面側を示した斜視図である。
【図３】本発明の第１実施形態による画像形成装置の画像読取部の下面側を示した斜視図である。
【図４】本発明の第１実施形態による画像形成装置の画像形成部のフック掛かり部および位置決め孔部を示した拡大平面図である。
【図５】本発明の第１実施形態による画像形成装置の画像読取部のフック部を示した拡大図である。
【図６】本発明の第１実施形態による画像形成装置の画像読取部の蓋部が開いた状態を示した拡大図である。
【図７】第１実施形態において、配線処理を行うために画像読取部を傾斜させた状態を説明するための模式的な断面図である。
【図８】組付工程における位置決め孔部に挿入された第１実施形態の第１突起部について説明するための模式的な断面図である。
【図９】組付工程におけるフック掛かり部に挿入された第１実施形態のフック部について説明するための模式的な断面図である。
【図１０】本発明の第２実施形態による画像形成装置のトップカバーの上面側を示した斜視図である。
【図１１】本発明の第２実施形態による画像形成装置の画像読取部の下面側を示した斜視図である。
【図１２】本発明の第３実施形態による画像形成装置の画像読取部の下面側を示した底面図である。
【図１３】本発明の第３実施形態による画像形成装置のトップカバーの上面側を示した平面図である。
【発明を実施するための形態】
【００１８】
以下、本発明の実施形態を図面に基づいて説明する。
【００１９】
（第１実施形態）
図１〜図９を参照して、本発明の第１実施形態による画像形成装置１００の構成について説明する。
【００２０】
本発明の第１実施形態による画像形成装置１００は、図１に示すように、画像を印刷する画像形成部１と、画像形成部１（後述するトップカバー部４）の上面４ａ（図２参照）に固定され、画像を読み取る画像読取部５とを備えている。画像読取部５には、前方側（Ｙ２方向側）にユーザからの操作を受け付ける操作部６０が設けられている。なお、画像形成部１と画像読取部５とは、使用時において、常に互いに固定された状態で維持される。また、前方（Ｙ２方向）は、本発明の「第１方向」の一例である。
【００２１】
以下では、前方（Ｙ２方向）の反対の方向を後方（Ｙ１方向）とする。また、前後方向（Ｙ方向）に直交する方向を左右方向（Ｘ方向）とする。また、前後方向（Ｙ方向）および左右方向（Ｘ方向）に直交する方向を上下方向（Ｚ方向）とする。なお、後方（Ｙ１方向）は、本発明の「第４方向」の一例である。また、左右方向（Ｘ方向）は、本発明の「第２方向」の一例である。また、上下方向は、本発明の「第３方向」の一例である。
【００２２】
画像形成装置１００は、画像形成部１および画像読取部５が、画像形成部１の上面４ａ（図２参照）および画像読取部５の下面６ａ（図３参照）において互いに固定されるように構成されている。
【００２３】
具体的には、図２に示すように、画像形成部１の上面４ａは、上面４ａにおける前方（Ｙ２方向側）の端部４ｂ側に設けられるフック掛かり部４０を含んでいる。また、図３に示すように、画像読取部５の下面６ａは、下面６ａにおける前方（Ｙ２方向側）の端部６ｂ側に設けられるフック部６１を含んでいる。なお、フック掛かり部４０は、本発明の「凹部」の一例である。また、フック部６１は、本発明の「凸部、第２規制部」の一例である。また、フック掛かり部４０およびフック部６１の詳細な構成については後述する。
【００２４】
図２に示すように、画像形成部１の上面４ａは、フック掛かり部４０の近傍に、フック掛かり部４０とは異なる位置に別個に設けられた位置決め孔部４１を含んでいる。また、図３に示すように、画像読取部５の下面６ａは、フック部６１の近傍にフック部６１とは異なる位置に別個に設けられ、位置決め孔部４１（図２参照）と互いに当接して位置決めを行うとともに、位置決め孔部４１に嵌め込まれる第１突起部６２を含んでいる。つまり、位置決め孔部４１は、一部に第１突起部６２が係合するように構成されている。なお、位置決め孔部４１は、本発明の「凹部、第１凹部」の一例である。また、第１突起部６２は、本発明の「凸部、第１凸部」の一例である。また、位置決め孔部４１および第１突起部６２の詳細な構成については後述する。
【００２５】
図２に示すように、画像形成部１の上面４ａは、上面４ａにおける前方（Ｙ２方向）の端部４ｂ側以外の位置（後方の端部４ｃ側の位置）に設けられ、画像形成部１に対して画像読取部５（図３参照）を固定するための雌ネジ部４２を含んでいる。また、図３に示すように、画像読取部５の下面６ａは、下面６ａにおける前方（Ｙ２方向）の端部６ｂ側以外の位置（後方の端部６ｃ側の位置）に設けられ、画像形成部１に対して画像読取部５を固定するためのネジ取付孔部６３を含んでいる。また、雌ネジ部４２およびネジ取付孔部６３の詳細な構成については後述する。
【００２６】
次に、画像形成装置１００の各部の詳細な構成について説明する。
【００２７】
図１に示すように、画像形成部１は、画像形成部本体２と、画像形成部本体２に取り付けられるサイドカバー部３およびトップカバー部４とを含んでいる。なお、画像形成部１は、外部からの電力の供給を受けて、画像形成部１に電力を供給するように構成されている。
【００２８】
画像形成部本体２は、概ね、直方体形状を有している。また、画像形成部本体２は、画像が印刷される用紙が収納される複数の給紙カセット２０を有している。複数の給紙カセット２０は、互いに上下方向（Ｚ方向）に重なるように配置され、ユーザ側の前方（Ｙ２方向）に引出可能に構成されている。また、サイドカバー部３は、平板形状を有している。また、サイドカバー部３は、画像形成部本体２の左右の両側面にそれぞれ取り付けられている（図１では一方のみを示す）。
【００２９】
トップカバー部４は、平面視において（Ｚ１方向側から見て）、概ね、Ｕ字形状を有している。具体的には、トップカバー部４は、画像形成部本体２の後方（Ｙ１方向）の後面（図示せず）と、一対のサイドカバー部３とに沿って延びるＵ字形状を有している。また、トップカバー部４は、画像形成部本体２の上側に取り付けられている。また、トップカバー部４は、Ｕ字形状部分の内側から画像形成部本体２内で画像が印刷された用紙が前方（Ｙ２方向）に排出されるように構成されている。また、排出された用紙は、画像形成部本体２と画像読取部５との間において保持される。
【００３０】
また、図２に示すように、トップカバー部４は、画像形成部１が固定される上面４ａを含んでいる。また、上面４ａは、平面視において（Ｚ１方向から見て）、トップカバー部４と同様のＵ字形状を有している。また、トップカバー部４は、左右方向（Ｘ方向）から見て、前方側（Ｙ２方向側）かつ上方側（Ｚ１方向側）が切り欠かれた形状を有している。このため、上面４ａは、概ね、装置全体の後方側（Ｙ１方向側）に位置している。
【００３１】
また、トップカバー部４の上面４ａは、フック掛かり部４０と、位置決め孔部４１と、雌ネジ部４２と、円形位置決め孔部４３および長円形位置決め孔部４４と、配線接続部４５と、当接孔部４６とを含んでいる。なお、円形位置決め孔部４３および長円形位置決め孔部４４は、共に、本発明の「第３凹部」の一例である。また、当接孔部４６は、本発明の「第２凹部」の一例である。
【００３２】
図２に示すように、フック掛かり部４０は、前方（Ｙ２方向）の端部４ｂ側かつ左右方向（Ｘ方向）の両側に一対設けられている。また、フック掛かり部４０は、画像読取部５のフック部６１（図３参照）が挿入され、平面視においてＬ字形状を有する孔部である。また、フック掛かり部４０の開口幅は、前後方向（Ｙ方向）に沿って、左右方向（Ｘ方向）で異なっている。また、フック掛かり部４０は、一部にフック部６１が係合するように構成されている。具体的には、図４に示すように、フック掛かり部４０は、前方側（Ｙ２方向側）の矩形状の第１孔部４０ａと、後方側（Ｙ１方向側）の第１孔部４０ａよりも大きな矩形状の第２孔部４０ｂとが接続されることにより形成される１つのＬ字形状の孔部である。すなわち、第１孔部４０ａと第２孔部４０ｂとは、前後方向（Ｙ方向）に連通している。また、第２孔部４０ｂの左右方向（Ｘ方向）における開口幅は、フック部６１の幅よりも大きい。また、フック掛かり部４０は、第１孔部４０ａの開口縁から内側に張り出す角部４０ｃを有している。詳細には、フック掛かり部４０は、前後方向（Ｙ方向）において第１孔部４０ａに対応する位置に設けられるとともに、前方側（Ｙ２方向側）から孔部の内側に突出する角部４０ｃを有している。なお、第１孔部４０ａは、本発明の「第１開口部」の一例である。また、第２孔部４０ｂは、本発明の「第２開口部」の一例である。また、角部４０ｃは本発明の、「第１規制部」の一例である。
【００３３】
図２に示すように、位置決め孔部４１は、上記一対のフック掛かり部４０のうちの左方向側（Ｘ２方向側）のフック掛かり部４０の近傍に設けられている。位置決め孔部４１の開口幅は、前後方向（Ｙ方向）に沿って、左右方向（Ｘ方向）で異なっている。すなわち、位置決め孔部４１は、前方（Ｙ２方向）に幅（左右方向の幅）が徐々に狭くなるように形成されている。具体的には、図４に示すように、位置決め孔部４１は、直径Ｄ１を有する前方側（Ｙ２方向側）の第１円弧部４１ａと、直径Ｄ１よりも大きい直径Ｄ２を有する後方側（Ｙ１方向側）の第２円弧部４１ｂとが接続されることにより形成されている。なお、第１円弧部４１ａと第２円弧部４１ｂとの接続部分は、丸みを帯びている。
【００３４】
図２に示すように、雌ネジ部４２は、後方（Ｙ１方向）の端部４ｃ側に２つ設けられている。また、雌ネジ部４２は、上面４ａから上方（Ｚ１方向）に延びるボス形状を有している。また、雌ネジ部４２には、ボス形状部分の先端から下方（Ｚ２方向）に延びる円孔が形成されており、円孔の内周面に雌ネジが形成されている。
【００３５】
円形位置決め孔部４３は、円形状を有している。長円形位置決め孔部４４は、左右方向（Ｘ方向）に延びる長円形状を有している。また、円形位置決め孔部４３および長円形位置決め孔部４４は、雌ネジ部４２と同様に、上面４ａの後方（Ｙ１方向）の端部４ｃ側にそれぞれ設けられている。また、円形位置決め孔部４３は、上面４ａの左方向側（Ｘ２方向側）かつ位置決め孔部４１の後方（Ｙ１方向）の位置に設けられている。また、長円形位置決め孔部４４は、円形位置決め孔部４３の右方向（Ｘ１方向）の位置に設けられている。また、円形位置決め孔部４３および長円形位置決め孔部４４は、それぞれ、画像読取部５の後述する第２突起部６４（図３参照）と、互いに当接（嵌合）することにより画像形成部１に対する画像読取部５の後方（Ｙ１方向）の位置決めを行うように構成されている。なお、第２突起部６４は、本発明の「第３凸部」の一例である。
【００３６】
ここで、左右方向（Ｘ方向）における２つのフック掛かり部４０間の長さはＬ１である。また、前後方向（Ｙ方向）における位置決め孔部４１と円形位置決め孔部４３（長円形位置決め孔部４４）と間の長さはＬ２である。この長さＬ１は、長さＬ２よりも大きい。
【００３７】
配線接続部４５は、上面４ａの左方向側（Ｘ２方向側）に設けられるコネクタである。配線接続部４５は、配線（図示せず）を介して画像読取部５（図１参照）と接続（配線処理）されることにより、画像形成部１と画像読取部５とを電気的に接続するように構成されている。これにより、画像形成部１は、配線接続部４５を介して画像読取部５に各種信号を発信可能に構成されている。なお、配線処理は、画像形成部１に対して、画像読取部５を傾斜させた状態（図７参照）で維持しながら行われる。詳細については後述する。
【００３８】
当接孔部４６は、２つ設けられている。また、前方側（Ｙ２方向側）かつＸ１方向側のフック掛かり部４０は、当接孔部４６を兼ねている。また、２つの当接孔部４６は、それぞれ、Ｘ１方向側の縁部に後述する当接リブ部６５が当接する当接部４６ａおよび４６ｂを有している。当接部４６ａおよび４６ｂは、配線処理を行う際に用いられる。また、当接部４６ａおよび４６ｂは、上面４ａに２つ設けられている。また、２つの当接部４６ａおよび４６ｂは、上面４ａの前方（Ｙ２方向）の端部４ｂと隣接する右方向（Ｘ１方向）の端部４ｄ側に設けられている。また、一方の当接部４６ａは、右方向側（Ｘ１方向側）のフック掛かり部４０（孔部）のＸ１方向側の端面からなる。また、他方の当接部４６ｂは、フック掛かり部４０の後方（Ｙ１方向）に設けられた孔部のＸ１方向側の端面からなる。また、当接部４６ａおよび４６ｂ（各端面）は、左右方向（Ｘ方向）の位置が同じとなるように設けられている。なお、当接部４６ａおよび４６ｂの機能については後述する画像読取部５の一対の当接リブ部６５（図３参照）の説明と合わせて述べる。また、当接リブ部６５は本発明の「第２凸部」の一例である。
【００３９】
画像読取部５（図６参照）は、原稿（用紙）をガラス製の原稿台に固定して、下方から光を照射して画像を読み取る方式である、いわゆるフラットベッド方式の画像読取部である。画像読取部５は、画像読取部本体６と、画像読取部本体６を上方側（Ｚ１方向側）から覆う開閉可能な蓋部７とを含んでいる。
【００４０】
画像読取部本体６には、前方側（Ｙ２方向側）に操作部６０（図１参照）が設けられている。また、画像読取部本体６は、画像形成部１に固定される下面６ａを含んでいる。図１に示すように、蓋部７は、画像が読み取られる用紙を配置する給紙トレイ７０と、画像が読み取られ、排出された用紙を配置する排紙トレイ７１とを有している。また、蓋部７は、ＡＤＦ（Ａｕｔｏ  Ｄｏｃｕｍｅｎｔ  Ｆｅｅｄｅｒ）機能を有している。また、図３に示すように、画像読取部本体６は、左右方向（Ｘ方向）から見て、前方側（Ｙ２方向側）かつ下方側（Ｚ２方向側）が切り欠かれた形状を有している。このため、下面６ａは、概ね、装置全体の後方側（Ｙ１方向側）に位置している。
【００４１】
また、画像読取部本体６の下面６ａは、上記の通り、フック部６１と、第１突起部６２と、ネジ取付孔部６３と、第２突起部６４と、一対の当接リブ部６５とを含んでいる。
【００４２】
画像読取部５は、フック部６１と画像形成部１のフック掛かり部４０とが係合されることにより、画像形成部１の上面４ａの前方（Ｙ２方向）の端部４ｂ側において、画像形成部１に対する上下方向（Ｚ方向）の移動が規制されるように構成されている。フック部６１は、平面視において（Ｚ１方向から見て）、画像形成部１のフック掛かり部４０（孔部）に対応する位置に設けられている。
【００４３】
また、図５に示すように、フック部６１は、立壁部６１ａと、平坦部６１ｂとを有している。立壁部６１ａは、下面６ａから突出するとともに、平面視において（Ｚ１方向からみて）フック掛かり部４０（図２参照）に対応するＬ字形状を有している。平坦部６１ｂは、立壁部６１ａの先端部に接続され、フック掛かり部４０（孔部）に挿入されて係合されることにより画像形成部１に対する画像読取部５の上下方向（Ｚ方向）への移動を規制する（図９参照）ように構成されている。具体的には、平坦部６１ｂおよび下面６ａの間にフック掛かり部４０の角部４０ｃを配置することにより、画像読取部５は、画像形成部１に対する上下方向（Ｚ方向）への移動が規制されるように構成されている。なお、平坦部６１ｂは、下面６ａと略平行に設けられている。また、平坦部６１ｂは、前後方向（Ｙ方向）および左右方向（Ｘ方向）の長さが、フック掛かり部４０の第２孔部４０ｂの前後方向（Ｙ方向）および左右方向（Ｘ方向）の長さよりも小さい。
【００４４】
図３に示すように、第１突起部６２は、平面視において（Ｚ１方向から見て）、画像形成部１の位置決め孔部４１に対応する位置に設けられている。また、第１突起部６２は、下面６ａから下方（Ｚ２方向）に突出するとともに、直径Ｄ３を有する円柱形状を有している。なお、第１突起部６２の直径Ｄ３は、位置決め孔部４１の第１円弧部４１ａの直径Ｄ１と略同じ大きさ（もしくは僅かに小さい大きさ）に設定されている。また、第１突起部６２の先端は、丸みを帯びている。
【００４５】
ここで、画像読取部５は、第１突起部６２が位置決め孔部４１内で前方（Ｙ２方向）に移動（スライド）されることにより、画像形成部１に対して、前方（Ｙ２方向）および左右方向（Ｘ方向）の位置決めが行われるように構成されている。具体的には、第１突起部６２は、位置決め孔部４１の第２円弧部４１ｂに挿入されるように構成されている。そして、画像読取部５は、前方（第１円弧部４１ａが位置する方向）に向けてフック部６１が画像形成部４のフック掛かり部４０に突き当たるまで移動（スライド）されることにより、前方（Ｙ２方向）および左右方向（Ｘ方向）の位置決めが行われるように構成されている。
【００４６】
図６に示すように、ネジ取付孔部６３は、平面視において（Ｚ１方向から見て）、画像形成部１の雌ネジ部４２（図２参照）に対応する位置に設けられている。また、ネジ取付孔部６３は、ネジＳにより雌ネジ部４２に対して締結されるように構成されている。また、ネジ取付孔部６３は、蓋部７と、画像読取部本体６との間からネジＳが取り付けられる。また、ネジ取付孔部６３は、外観上目立つことがないように、前方側（Ｙ２方向側）に立つユーザから離間した奥側（後方側）に設けられており、前方側（Ｙ２方向側）には設けられていない。
【００４７】
図３に示すように、第２突起部６４は、平面視において（Ｚ１方向から見て）、画像形成部１の円形位置決め孔部４３および長円形位置決め孔部４４に対応する位置にそれぞれ設けられている（計２つ）。また、第２突起部６４は、下面６ａから下方（Ｚ２方向）に突出する円柱形状を有している。また、第２突起部６４の先端は、丸みを帯びている。また、画像読取部５は、２つの第２突起部６４が、円形位置決め孔部４３および長円形位置決め孔部４４にそれぞれ嵌合されることにより、画像形成部１に対して、後方（Ｙ１方向）の位置決めが行われるように構成されている。
【００４８】
ここで、左右方向（Ｘ方向）における２つのフック部６１間の長さは、Ｌ１（略Ｌ１）となる。また、前後方向（Ｙ方向）における第１突起部６２と第２突起部６４との間の長さは、Ｌ２（略Ｌ２）となる。
【００４９】
一対の当接リブ部６５は、平面視において（Ｚ１方向から見て）、画像形成部１の当接部４６ａおよび４６ｂ（図２参照）に対応する位置にそれぞれ設けられている。また、当接リブ部６５は、下面６ａから下方（Ｚ２方向）に突出するように形成されている。
【００５０】
ここで、画像読取部５は、画像形成部１と画像読取部５とが配線（図示せず）により接続（配線処理）される際に、当接リブ６５をそれぞれ当接部４６ａおよび４６ｂに対して、左方向側（Ｘ２方向側）から当接させる（当接状態にする）ように構成されている。また、画像読取部５は、当接状態で、当接リブ６５を回動の支点として所定量回動されることにより画像形成部１に対して左右方向に傾斜された状態（右側が下に位置する状態）にすることが可能なように構成されている。この際、画像読取部５の右方向側（Ｘ１方向側）のフック部６１は、画像形成部１のフック掛かり部４０の第２孔部４０ｂ（図２参照）に挿入された状態となる。
【００５１】
次に、図１〜図３および図７〜図９を参照して、画像読取部５を画像形成部１に対して組み付ける工程（組付工程）について説明する。
【００５２】
なお、組付工程は、はじめに行われる配線処理工程と、次に行われる固定工程とからなる。さらに、固定工程は、はじめに行われる画像読取部５の前方側を位置決めおよび上下方向に移動規制する工程（以下、前方側の工程）と、次に行なわれる画像読取部５の後方側を位置決めおよび固定する工程（以下、後方側の工程）とからなる。以下、詳細に説明する。
【００５３】
まず、配線処理工程について説明する。はじめに、画像読取部５の一対の当接リブ６５を、それぞれ、画像形成部１の当接部４６ａおよび４６ｂに当接させる。そして、画像読取部５を、当接リブ６５を回動の支点として所定量回動させる。これにより、図７に示すように、画像読取部５が、右側が下に位置するように傾斜した状態となる。なお、画像読取部５の傾斜状態を維持するために、画像読取部５と画像形成部１との間に、所定の治具部材（図示せず）を設置する。そして、画像形成部１の配線接続部４５を介して画像形成部１と画像読取部５とを電気的に接続する。そして、上記所定の治具部材を取り外す。以上で配線処理工程が完了する。
【００５４】
次に、固定工程（前方側の工程）について説明する。はじめに、画像読取部５を、前側が下に位置するように傾斜した状態にする。固定工程（前方側の工程）では、この傾斜状態が維持される。そして、図８に示すように、画像読取部５の第１突起部６２を画像形成部１の位置決め孔部４１の第２円弧部４１ｂ（大きい直径Ｄ２側）に挿入する。また、同時に、図９に示すように、画像読取部５のフック部６１が、画像形成部１のフック掛かり部４０に挿入される。そして、画像読取部５（第１突起部６２およびフック部６１）を、前方（Ｙ２方向）に移動（スライド）させる。これにより、第１突起部６２が、位置決め孔部４１の第１円弧部４１ａ（小さい直径Ｄ１側）に嵌合される。その結果、画像読取部５（第１突起部６２）の前方（Ｙ２方向）および左右方向（Ｘ方向）の位置決めが行われる。同時に、フック部６１も前方（Ｙ２方向）に移動されるため、上下方向（Ｚ方向）においてフック部６１および下面６ａの間に、画像形成部１のフック掛かり部４０の角部４０ｃが配置される。その結果、画像読取部５（フック部６１）の上下方向（Ｚ方向）への移動が規制される。以上で固定工程（前方側の工程）が完了する。
【００５５】
なお、仮に、画像読取部５の第１突起部６２を、位置決め孔部４１の第１円弧部４１ａ（小さい直径Ｄ１側）にスライドさせずに上方から直接嵌合させようとした場合、画像読取部５のフック部６１が画像形成部１のフック掛かり部４０の角部４０ｃに干渉するため、嵌合させることはできない。
【００５６】
次に、固定工程（後方側の工程）について説明する。はじめに、フック部６１を中心に画像読取部５を回動させることにより、画像読取部５の下面６ａの後方側（Ｙ１方向側）の端部６ｃを、画像形成部１の上面４ａに近づける。これにより、画像読取部５の２つの第２突起部６４と、画像形成部１の円形位置決め孔部４３および長円形位置決め孔部４４とを、それぞれ、嵌合させる。これにより、画像読取部５のネジ取付孔部６３と、画像形成部１の雌ネジ部４２との位置が合わされる。そして、ネジＳ（図６参照）により、画像読取部５のネジ取付孔部６３と、画像形成部１の雌ネジ部４２とを締結する。以上で固定工程（後方側の工程）が完了する。
【００５７】
第１実施形態では、以下のような効果を得ることができる。
【００５８】
第１実施形態では、上記のように、画像形成部１の上面４ａ側にフック掛かり部４０を設け、画像読取部５の下面６ａ側にフック部６１を設け、フック掛かり部４０の開口幅を、前方に沿って、左右方向で異ならせ、フック掛かり部４０の一部にフック部６１が係合するように構成することによって、画像読取部５のフック部６１を、画像形成部１のフック掛かり部４０に嵌合（係合）させて前方にスライド移動することにより、画像読取部５のフック部６１を左右方向の幅が狭い位置に配置することができる。その結果、画像形成部１と画像読取部５とを係合させるとともに、互いに位置決めできるので、画像形成部１に対して画像読取部５を容易に取り付けおよび位置決めを行うことができる。
【００５９】
また、第１実施形態では、上記のように、フック掛かり部４０に、前方に連通した第１孔部４０ａと第２孔部４０ｂとを設け、第２孔部４０ｂを、第１孔部４０ａよりも大きく形成する。これにより、第１孔部４０ａよりも大きい第２孔部４０ｂにおいて、画像読取部５のフック部６１を画像形成部１のフック掛かり部４０に嵌合（係合）させることができるので、画像形成部１に対して画像読取部５をより容易に取り付けおよび位置決めを行うことができる。
【００６０】
また、第１実施形態では、上記のように、第２孔部４０ｂの左右方向における開口幅を、フック部６１の幅よりも大きくする。これにより、フック部６１に対して第２孔部４０ｂの左右方向における開口幅が大きく形成されるので、第２孔部４０ｂにフック部６１を容易に嵌合（係合）させることができる。
【００６１】
また、第１実施形態では、上記のように、フック掛かり部４０に、第１孔部４０ａの開口縁から内側に張り出すとともに、フック部６１と上下方向において係合する角部４０ｃを設ける。これにより、画像形成部１に対して画像読取部５を前方にスライド移動させることにより、角部４０ｃとフック部６１とが係合するので、画像形成部１に対する画像読取部５の上下方向への移動を規制することができる。
【００６２】
また、第１実施形態では、上記のように、画像形成部１に、角部４０ｃとは異なる位置に設けられた位置決め孔部４１を設け、画像読取部５にフック部６１とは異なる位置に設けられた第１突起部６２を設け、位置決め孔部４１の開口幅を、前方に沿って、左右方向で異ならせ、位置決め孔部４１の一部に第１突起部６２が係合するように構成する。これにより、角部４０ｃとは別個の位置決め孔部４１が設けられ、フック部６１とは別個の第１突起部６２が設けられるので、画像形成部１と画像読取部５との位置決めおよび取り付けを１組の構成で行う場合と比較して、角部４０ｃとフック部６１とを係合させる際に、高い精度が不要となる。その結果、画像形成部１に対して画像読取部５をより一層容易に取り付けおよび位置決めを行うことができる。
【００６３】
また、第１実施形態では、上記のように、画像形成部１に、画像形成部１および画像読取部５を電気的に接続するための配線を接続する配線接続部４５と、配線接続部４５と対向する位置に配置される当接孔部４６とを設け、画像読取部５に、配線接続部４５と対向する位置に配置される当接リブ部６５を設け、当接リブ部６５が当接する当接孔部４６の一部である当接部４６ａおよび４６ｂにおいて、当接部４６ａおよび４６ｂを支点として、当接リブ部６５が回動されるように構成する。これにより、当接部４６ａおよび４６ｂを支点として当接リブ部６５を回動させることにより、画像形成部１に対して画像読取部５を容易に傾斜させることができる。その結果、画像形成部１と画像読取部５とを電気的に接続する配線処理を容易に行うことができる。
【００６４】
また、第１実施形態では、上記のように、画像形成部１に、後方の端部側に配置される円形位置決め孔部４３および楕円形位置決め孔部４４を設け、画像読取部５に、後方の端部側に配置される第２突起部６４を設け、円形位置決め孔部４３および楕円形位置決め孔部４４に第２突起部６４が係合するように構成する。これにより、前方側に加えて、後方側においても、円形位置決め孔部４３および楕円形位置決め孔部４４と第２突起部６４とにより、画像形成部１と画像読取部５との位置決めが行われるので、画像形成部１に対して画像読取部５をより精度よく位置決めをすることができる。
【００６５】
（第２実施形態）
次に、図１、図１０および図１１を参照して、第２実施形態について説明する。この第２実施形態では、画像読取部５を前方（Ｙ２方向）に移動（スライド）させることによりフック部６１とフック掛かり部４０とを係合させた上記第１実施形態と異なり、画像読取部５を右方（Ｘ１方向）に移動（スライド）させることによりフック部２６１とフック掛かり部２４０とを係合させる例について説明する。なお、上記第１実施形態と同様の構成は、第１実施形態と同じ符号を付して図示するとともに説明を省略する。なお、フック掛かり部２４０は、本発明の「凹部」の一例である。
【００６６】
図１０に示すように、第２実施形態による画像形成装置２００（図１参照）では、トップカバー部２０４の上面４ａは、フック掛かり部２４０と、位置決め孔部２４１と、円形位置決め孔部２４３および長円形位置決め孔部２４４とを含んでいる。なお、位置決め孔部２４１は、本発明の「凹部、第１凹部」の一例である。また、円形位置決め孔部２４３および長円形位置決め孔部２４４は、本発明の「第３凹部」の一例である。
【００６７】
フック掛かり部２４０は、上面４ａの右方向（Ｘ１方向）の端部４ｄ側に２つ設けられている。また、２つのフック掛かり部２４０は、前後方向（Ｙ方向）の両側に一対設けられている。また、フック掛かり部２４０は、右方向側から順に並ぶ、右方向側（Ｘ１方向側）の矩形状の第１孔部２４０ａと、左方向側（Ｘ２方向側）の第１孔部２４０ａよりも大きな矩形状の第２孔部２４０ｂとが接続されることにより形成される１つのＬ字形状の孔部である。なお、第１孔部２４０ａは、本発明の「第１開口部」の一例である。また、第２孔部２４０ｂは、本発明の「第２開口部」の一例である。
【００６８】
位置決め孔部２４１は、上記一対のフック掛かり部２４０のうちの後方向側（Ｙ１方向側）のフック掛かり部２４０の近傍に設けられている。また、位置決め孔部２４１は、右方向（Ｘ１方向）に幅（前後方向の幅）が徐々に狭くなるように形成されている。
【００６９】
長円形位置決め孔部２４４は、前後方向（Ｙ方向）に延びる長円形状を有している。また、円形位置決め孔部２４３および長円形位置決め孔部２４４は、共に、上面４ａの左方向（Ｘ２方向）の端部４ｅ側に設けられている。また、円形位置決め孔部２４３は、後方側（Ｙ１方向側）かつ位置決め孔部２４１の左方向（Ｘ２方向）の位置に設けられている。また、長円形位置決め孔部２４４は、円形位置決め孔部２４３の前方（Ｙ２方向）の位置に設けられている。
【００７０】
ここで、前後方向（Ｙ方向）における２つのフック掛かり部２４０間の長さはＬ３である。また、左右方向（Ｘ方向）における位置決め孔部２４１と円形位置決め孔部２４３（長円形位置決め孔部２４４）と間の長さはＬ４である。この長さＬ３は、長さＬ４よりも小さい。
【００７１】
図１１に示すように、画像読取部本体２０６の下面６ａは、フック部２６１と、第１突起部２６２と、２つの第２突起部２６４とを含んでいる。なお、フック部２６１と、第１突起部２６２と、２つの第２突起部２６４とは、それぞれ、平面視において（Ｚ１方向から見て）、画像形成部１のフック掛かり部２４０と、位置決め孔部２４１と、円形位置決め孔部２４３および長円形位置決め孔部２４４とに対応する位置に設けられている。なお、第２実施形態では、フック部２６１が、第１実施形態で説明した当接リブ部の機能を兼ね備えているため、画像読取部本体２０６の下面６ａは、単独の当接リブ部を含んでいない。なお、第１突起部２６２は、本発明の「凸部、第１凸部」の一例である。また、第２突起部２６４は、本発明の「第３凸部」の一例である。
【００７２】
なお、前後方向（Ｙ方向）における２つのフック部２６１間の長さは、Ｌ３（略Ｌ３）となる。また、左右方向（Ｘ方向）における第１突起部２６２と第２突起部２６４との間の長さは、Ｌ４（略Ｌ４）となる。
【００７３】
次に、図１、図１０および図１１を参照して、画像読取部５を画像形成部１に対して組み付ける工程（組付工程）について簡単に説明する。なお、組付工程は、配線処理工程と、固定工程とからなる。
【００７４】
まず、配線処理工程について説明する。はじめに、画像読取部５の第１突起部２６２を画像形成部１の位置決め孔部２４１の第２円弧部４１ｂ（大きい径側）に挿入する。同時に、画像読取部５のフック部２６１が、画像形成部１のフック掛かり部２４０（孔部）に挿入される。そして、画像形成部１を右方向（Ｘ１方向）に移動させることにより、フック部２６１を画像形成部１のフック掛かり部２４０に当接させる。そして、画像読取部５を、上記当接部分を回動の支点として所定量回動させる。これにより、画像読取部５が、右側が下に位置するように傾斜した状態となる。なお、画像読取部５の傾斜状態を維持するために、画像読取部５と画像形成部１との間には、所定の治具部材（図示せず）が設置される。そして、画像形成部１の配線接続部４５を介して画像形成部１と画像読取部５とを電気的に接続する。そして、上記所定の治具部材が取り外される。以上で配線処理工程が完了する。
【００７５】
なお、上記のフック部２６１を画像形成部１のフック掛かり部２４０に当接させた状態において、第１突起部２６２は、第１円弧部４１ａ（小さい径側）に嵌合している。
【００７６】
次に、固定工程について説明する。上記の通り、第１突起部２６２は、既に、第１円弧部４１ａ（小さい径側）に嵌合している。このため、第２実施形態では、第１実施形態の固定工程（前方側の工程）に対応する工程は不要である。
【００７７】
はじめに、フック部２６１を中心に画像読取部５を回動させることにより、２つの第２突起部２６４と、円形位置決め孔部２４３および長円形位置決め孔部２４４とを、それぞれ、嵌合させる。これにより、画像読取部５のネジ取付孔部６３と、画像形成部１の雌ネジ部４２との位置が合わされる。そして、ネジＳ（図６参照）により、画像読取部５のネジ取付孔部６３と、画像形成部１の雌ネジ部４２とを締結する。以上で固定工程が完了する。
【００７８】
第２実施形態では、以下のような効果を得ることができる。
【００７９】
第２実施形態では、上記第１実施形態と同様に、画像形成部１の上面４ａ側にフック掛かり部２４０を設け、画像読取部５の下面６ａ側にフック部２６１を設け、フック掛かり部２４０の開口幅を、前方に沿って、左右方向で異ならせ、フック掛かり部２４０の一部にフック部２６１が係合するように構成することによって、画像読取部５のフック部２６１を、画像形成部１のフック掛かり部２４０に嵌合（係合）させて前方にスライド移動することにより、画像読取部５のフック部２６１を左右方向の幅が狭い位置に配置することができる。その結果、画像形成部１と画像読取部５とを係合させるとともに、互いに位置決めできるので、画像形成部１に対して画像読取部５を容易に取り付けおよび位置決めを行うことができる。
【００８０】
また、第２実施形態では、上記のように、画像形成部１に、後方の端部４ｃ側に配置される円形位置決め孔部２４３および楕円形位置決め孔部２４４を設け、画像読取部５に、後方の端部６ｃ側に配置される第２突起部２６４を設け、円形位置決め孔部２４３および楕円形位置決め孔部２４４に第２突起部６４が係合するように構成し、角部４０ｃおよびフック部２６１を、それぞれ、２つずつ設け、左右方向における角部４０ｃ間の長さを、前後方向における位置決め部２４１と円形位置決め孔部２４３（楕円形位置決め孔部２４４）との間の長さ（第１突起部２６２と第２突起部２６４との間の長さ）よりも小さくする。これにより、位置決め部２４１と円形位置決め孔部２４３（楕円形位置決め孔部２４４）との間の長さ（第１突起部２６２と第２突起部２６４との間の長さ）を、フック掛かり部２４０の長さよりも大きく確保することができる。
【００８１】
（第３実施形態）
次に、図１、図１２および図１３を参照して、第３実施形態について説明する。この第３実施形態では、フック部６１がＬ字形状を有する立壁部６１ａを含む上記第１実施形態と異なり、フック部３６１がＵ字形状を有する立壁部３６１ａを含む例について説明する。なお、上記第１実施形態と同様の構成は、第１実施形態と同じ符号を付して図示するとともに説明を省略する。なお、フック部３６１は、本発明の「凸部、第２規制部」の一例である。
【００８２】
図１２に示すように、第３実施形態による画像形成装置３００（図１参照）では、フック部３６１は、画像読取部５の下面６ａから下方（Ｚ１方向）に突出するとともに、平面視において、Ｕ字形状を有する立壁部３６１ａを含んでいる。また、フック部３６１は、立壁部３６１ａの先端部に接続され、フック掛かり部３４０（図１３参照）に挿入されて係合されることにより画像形成部１に対する画像読取部５の上下方向（Ｚ方向）への移動を規制する平坦部３６１ｂを含んでいる。要するに、フック部３６１は、立壁部３６１ａと、平坦部３６１ｂと、画像読取部５の下面６ａとにより、前方側（Ｙ１方向側）が開放された溝部を形成している。なお、フック掛かり部３４０は、本発明の「凹部」の一例である。
【００８３】
図１３に示すように、フック掛かり部３４０は、平面視において（Ｚ１方向から見て）、フック部３６１（立壁部３６１ａ）に対応するＵ字形状を有する孔部である。
【００８４】
第３実施形態では、以下のような効果を得ることができる。
【００８５】
第３実施形態では、上記第１実施形態と同様に、画像形成部１の上面４ａ側にフック掛かり部３４０を設け、画像読取部５の下面６ａ側にフック部３６１を設け、フック掛かり部３４０の開口幅を、前方に沿って、左右方向で異ならせ、フック掛かり部３４０の一部にフック部３６１が係合するように構成することによって、画像読取部５のフック部３６１を、画像形成部１のフック掛かり部３４０に嵌合（係合）させて前方にスライド移動することにより、画像読取部５のフック部３６１を左右方向の幅が狭い位置に配置することができる。その結果、画像形成部１と画像読取部５とを係合させるとともに、互いに位置決めできるので、画像形成部１に対して画像読取部５を容易に取り付けおよび位置決めを行うことができる。
【００８６】
また、第３実施形態では、上記のように、フック部３６１に、画像形成部１の上面４ａおよび画像読取部５の下面６ａの一方から突出するとともに、平面視においてフック掛り部３４０に対応するＵ字形状を有する立壁部３６１ａと、立壁部３６１ａの先端部に接続され、フック掛り部３４０に挿入されて係合されることにより画像形成部１に対する画像読取部５の上下方向（Ｚ方向）への移動を規制する平坦部３６１ｂとを設ける。これにより、一般的な１つの端部に設けた立壁部３６１ａのみで下面６ａと平坦部３６１ｂとを接続するフック部３６１と比較して、Ｕ字形状の立壁部３６１ａを含むフック部３６１は、複数の端部により下面６ａと平坦部３６１ｂとが接続されるので、フック部３６１の機械的強度（剛性）を高めることができる。
【００８７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８８】
たとえば、上記第１〜第３実施形態では、画像読取部を画像形成部に対して前方または右方向に移動（スライド）させることにより、フック部とフック掛かり部とを係合させた例を示したが、本発明はこれに限られない。本発明では、画像読取部を画像形成部に対して左方向または後方に移動（スライド）させることにより、フック部とフック掛かり部とを係合させてもよい。
【００８９】
また、上記第１〜第３実施形態では、フック部（フック掛かり部）を画像読取部の下面（画像形成部の上面）の前方または右方向の端部側に２つ設けた例を示したが、本発明はこれに限られない。本発明では、フック部（フック掛かり部）を画像読取部の下面（画像形成部の上面）の左方向または後方の端部側に２つ設けてもよい。また、フック部（フック掛かり部）の数は２つ以上であればよい。
【００９０】
また、上記第１〜第３実施形態では、画像読取部に第２突起部を２つ設けた例を示したが、本発明はこれに限られない。本発明では、画像読取部に第２突起部を１つ以上設ければよい。
【００９１】
また、上記第１〜第３実施形態では、画像形成部に円形位置決め孔部および長円形位置決め孔部を設けた例を示したが、本発明はこれに限られない。本発明では、たとえば、円形位置決め孔部のみが設けられていてもよい。
【００９２】
また、上記第１〜第３実施形態では、フック部（フック掛かり部）が並ぶ方向と直交する方向に画像読取部を移動（スライド）させた例を示したが、本発明はこれに限られない。本発明では、フック部（フック掛かり部）が並ぶ方向と同方向に画像読取部を移動（スライド）させてもよい。
【００９３】
また、上記第１〜第３実施形態では、画像読取部の下面および画像形成部の上面が装置全体の後方側に位置する例を示したが、本発明はこれに限られない。本発明では、画像読取部の下面および画像形成部の上面が装置全体の前方側に位置してもよい。
【００９４】
また、上記第１〜第３実施形態では、画像読取部および画像形成部を、後方の端部側で互いに固定した例を示したが、本発明はこれに限られない。本発明では、たとえば、画像読取部および画像形成部を、左方向の端部側で互いに固定してもよい。
【００９５】
また、上記第１〜第３実施形態では、位置決め孔部を、大きさの異なる２つの円弧状の孔部を接続して形成した例を示したが、本発明はこれに限られない。本発明では、たとえば、位置決め孔部を、円弧状の孔部と矩形状の孔部とを接続して形成してもよい。
【００９６】
また、上記第１〜第３実施形態では、画像読取部がいわゆるフラットベッド方式である例を示したが、本発明はこれに限られない。本発明では、画像読取部がフラットベッド方式に対応していなくてもよい。
【００９７】
また、上記第１〜第３実施形態では、フック部を画像読取部に設け、フック掛かり部を画像形成部に設けた例を示したが、本発明はこれに限られない。本発明では、フック掛かり部を画像読取部に設け、フック部を画像形成部に設けてもよい。
【００９８】
同様に、上記第１〜第３実施形態では、位置決めのための突起部を画像読取部に設け、突起部が嵌合する孔部を画像形成部に設けた例を示したが、本発明はこれに限られない。本発明では、突起部が嵌合する孔部を画像読取部に設け、位置決めのための突起部を画像形成部に設けてもよい。
【００９９】
また、上記第１〜第３実施形態では、画像形成部のサイドカバー部が画像形成部本体の側面のみを覆うように構成した例を示したが、本発明はこれに限られない。本発明では、サイドカバー部がトップカバー部の側面も覆うように構成してもよい。
【０１００】
また、上記第１〜第３実施形態では、画像形成部がサイドカバー部を含んでいる例を示したが、本発明はこれに限られない。本発明では、画像形成部がサイドカバー部を含んでいなくてもよい。
【０１０１】
また、上記第１〜第３実施形態では、画像形成部がトップカバー部を含んでいる例を示したが、本発明はこれに限られない。本発明では、画像形成部がトップカバー部を含んでいなくてもよい。なお、この場合には、画像読取部は、画像形成部本体に直接固定される。
【０１０２】
また、上記第１〜第３実施形態では、フック掛かり部と位置決め孔部とを別々に設けるとともに、フック部と第１突起部とを別々に設けた例を示したが本発明はこれに限られない。本発明では、フック掛かり部と位置決め孔部と一体的に設けるとともに、フック部と第１突起部と一体的に設けてもよい。
【符号の説明】
【０１０３】
１  画像形成部
４ａ  上面
４ｃ、６ｃ  端部
５  画像読取部
６ａ  下面
４０、２４０、３４０  フック掛かり部（凹部）
４０ａ、２４０ａ  第１孔部（第１開口部）
４０ｂ、２４０ｂ  第２孔部（第２開口部）
４０ｃ  角部（第１規制部）
４１、２４１  位置決め孔部（凹部、第１凹部）
４３、２４３  円形位置決め孔部（第３凹部）
４４、２４４  長円形位置決め孔部（第３凹部）
４５  配線接続部
４６  当接孔部（第２凹部）
４６ａ、４６ｂ  当接部
６１、２６１、３６１  フック部（凸部、第２規制部）
６２、２６２  第１突起部（凸部、第１凸部）
６４、２６４  第２突起部（第３凸部）
６５  当接リブ部（第２凸部）
１００、２００、３００  画像形成装置
Ｌ３、Ｌ４  長さ
【図１】
2016136182.tif 000003
【図２】
2016136182.tif 000004
【図３】
2016136182.tif 000005
【図４】
2016136182.tif 000006
【図５】
2016136182.tif 000007
【図６】
2016136182.tif 000008
【図７】
2016136182.tif 000009
【図８】
2016136182.tif 000010
【図９】
2016136182.tif 000011
【図１０】
2016136182.tif 000012
【図１１】
2016136182.tif 000013
【図１２】
2016136182.tif 000014
【図１３】
2016136182.tif 000015